(57)【特許請求の範囲】
【請求項１】
大きさ及び厚みの異なる２種類以上のカセットが１つのカセット挿入口からカセット支持面上に挿入可能であり、カセット挿入口から挿入したカセットが待機状態のカセットホルダに装着された状態でローディング位置に移動する動作と、上記カセットが上記カセットホルダに装着された状態で上記待機状態であるエジェクト位置に移動する動作とが行える記録再生装置であって、
上記カセットホルダのカセット支持面に小さいカセットの両側面を案内する一対の位置決めガイド部材を付勢手段によって出没可能に設け、上記カセットホルダの両側板が大きいカセットの両側面を案内するガイド板である記録再生装置において、
上記位置決めガイド部材は、その内側に上記小さいカセットの底面を案内するカセット乗り面と、該カセット乗り面のカセット挿入口とは反対側端部には上記小さいカセットのカセット蓋ロック解除用のリブ状の突起とが設けられ、かつ、該カセット乗り面はカセット挿入口側から上記突起方向に上記カセット支持面に対して高くなるように傾斜する構成からなり、
上記小さいカセットのローディング位置では、該小さいカセットの厚みが上記大きいカセットの厚みより薄く上記カセット支持面から浮き上がっても該小さいカセットのカセット蓋ロック爪から上記カセット蓋ロック解除用の突起が外れることがないようにした
ことを特徴とする記録再生装置。
【請求項２】
請求項１記載の記録再生装置において、上記位置決めガイド部材に小さなカセットの挿入を呼び込むガイド面を設けたことを特徴とする記録再生装置。
【請求項３】
請求項１又は２記載の記録再生装置において、ビデオ・カセット・レコーダに適用されることを特徴とする記録再生装置。
【発明の詳細な説明】
【０００１】
【発明の属する技術分野】
本発明は、１つのカセット挿入口に対して大きさの異なる２種類以上のテープカセットが使用可能なＶＣＲ装置（ビデオ・カセット・レコーダ装置）等の記録再生装置に関し、特にカセットコンパートメント（以下、カセコンという）のカセットホルダへ大きさの異なるテープカセットを決められた位置に挿入するための位置決めガイド機構に係わるものである。
【０００２】
【従来の技術】
従来、１つのカセット挿入口から大きさの異なる大小のテープカセットをカセットホルダに装填し、記録再生動作を行うことのできるいわゆるコンパチブル方式のＶＣＲ装置は提案されている。
【０００３】
このようなＶＣＲ装置においてカセットホルダへ大きさの異なるテープカセットを決められた位置に挿入するための位置決めガイド機構としては、通常、大きさの異なるカセット自体がガイド機能を有し、あるいはガイド機能を可能とする形状を備えており、カセットホルダには固定式のカセットガイド部材が取り付けられていた。
【０００４】
また、カセット蓋のロック解除機構は大きさの異なるカセット自体が共通なロック解除機構でク解除可能となっているか、あるいは小さなカセットのロック解除機構の部分を大きなカセット側の底部に設けた例えば溝等の凹部で避けて、それぞれのロック解除機構が両立する構造となっていた。
【０００５】
ところで、大きさの異なるカセット自体に両立するカセット蓋のロック解除機構の構造がない場合に、カセットホルダ側にカセットのガイド機能とカセット蓋のロック解除機構を備えたものは従来技術では提案されていなかった。また、カセットの大きさの違いだけでなくカセットの厚みに差がある場合に対応することのできる機構は勿論なかった。
【０００６】
【発明が解決しようとする課題】
上述したように従来の位置決めガイド機構及びカセット蓋ロック解除機構では、カセットの外観やデザインに制約が発生する場合があり、また、カセットの構造が複雑になるため小型化を困難にすることがあった。
【０００７】
また、カセットの厚みにも差がある場合、小さいカセットがカセットホルダに挿入されてローディング位置に装填されたとき、カセットがカセットホルダから浮き上がる機構の場合では、カセットの蓋ロック爪が蓋ロック解除部材から離れてしまうことがあり、このようになるとカセットをエジェクト動作したときカセット蓋が閉止しないことがあった。
【０００８】
本発明は、上述したような課題を解消するためになされたもので、カセットホルダに大きさの異なるカセットの位置決めガイド機能とカセット蓋のロック解除機構を備え、また、カセットの厚みに差がある場合にも上述した課題を解消し信頼性の高い記録再生装置を得ることを目的とする。
【０００９】
【課題を解決するための手段】
上述の目的を達成するため、本発明による記録再生装置は、大きさ及び厚みの異なる２種類以上のカセットが１つのカセット挿入口からカセット支持面上に挿入可能であり、カセット挿入口から挿入したカセットが待機状態のカセットホルダに装着された状態でローディング位置に移動する動作と、カセットがカセットホルダに装着された状態で待機状態であるエジェクト位置に移動する動作とが行える記録再生装置であって、カセットホルダのカセット支持面に小さいカセットの両側面を案内する一対の位置決めガイド部材を付勢手段によって出没可能に設け、カセットホルダの両側板が大きいカセットの両側面を案内するガイド板である記録再生装置において、位置決めガイド部材は、その内側に小さいカセットの底面を案内するカセット乗り面と、該カセット乗り面のカセット挿入口とは反対側端部には小さいカセットのカセット蓋ロック解除用のリブ状の突起とを設け、かつ、該カセット乗り面はカセット挿入口側から突起方向にカセット支持面に対して高くなるように傾斜する構成としたものである。
【００１０】
このように構成したことで、厚みの薄い小さなカセットがカセットホルダに挿入されてローディング位置に装填されたとき、小さなカセットがカセットホルダから浮き上がることがあっても、カセットのカセット蓋ロック爪がカセット蓋ロック解除用の突起から外れることもなく、カセット蓋の開放状態を保持することができる。
【００１４】
また、位置決めガイド部材に小さなカセットの挿入を呼び込むガイド面を設けたことで、このガイド面にカセットが呼び込まれて案内され位置決めガイド部材に正確に挿入することができる。
【００１５】
【発明の実施の形態】
以下、本発明による記録再生装置の実施例を大小２種類のテープカセットが使用可能なコンパチブル方式の民生用のＶＣＲ装置に適用した例をとって図面を参照して説明する。
【００１６】
図１は本例のＶＣＲ装置のカセットコンパートメント（以下、カセコンという）の分解斜視図を示し、図２に本発明の要部である位置決めガイド機構を備えたカセットホルダの平面図を示す。
【００１７】
まず、図１においてカセコンの構成について説明する。
カセコンの全体を符号１で示し、矢印方向が図示しないテープカセットの挿入方向である。カセコン１の両側部にはメカシャーシ２上においてカセコンフレーム３，３が立設され、カセコン１の入口側にカセット扉４の上端部に設けた支承軸４ａ，４ａがカセコンフレーム３，３に形成した支承部３ａ，３ａに揺動可能に支持されている。そして、このカセット扉４の前方にカセット挿入口５を有するフロントパネル６が配置されている。
【００１８】
カセコン１内にはテープカセットをローディング位置及びエジェクト位置に搬送するためのカセットホルダ７が配置されている。このカセットホルダ７の一方側にはカセット引き込み／排出機構８が組み込まれている。このカセット引き込み／排出機構８は本発明の要部でないため構成の説明は省略し機構的な動きについて説明する。
【００１９】
テープカセットがカセットホルダ７に挿入されると、図示しない検出スイッチによってローディングモータが駆動され、カセット引き込み／排出機構８を介してカセットホルダ７の上部に支持アーム９，９に支持されて横断するローラ１０が巻き込み方向へ回転されテープカセットをカセットホルダ７の最奥部のストッパ７ａに突き当たるまで深く引き込み動作が行われる。その後、テープカセットはカセットホルダ７と共にローディング位置へ搬送される。
【００２０】
また、カセットホルダ７と共にテープカセットがエジェクト位置へ移動してくると、カセット引き込み／排出機構８を介してローラ１０が上述と反対方向へ回転し、テープカセットの後端部をカセット挿入口５外へ突出するように排出動作が行われる。
【００２１】
このように動作するカセット引き込み／排出機構８にはホルダスライダ１１，１１を介して前後一対ずつのガイド軸１２ａ，１２ａ、１２ｂ，１２ｂを有し、これらガイド軸が上述したカセコンフレーム３，３に形成した水平部と垂直部とからなる一対のローディング用ガイド溝１３，１４に係合される。各ガイド軸１２ａ，１２ａ、１２ｂ，１２ｂはローディング用ガイド溝１３，１４を貫通し、カセコンフレーム３，３の外側面に配置した駆動スライダ１５，１５に形成した一対のローディング用カム溝１５ａ，１５ａに係合される。駆動スライダ１５の上縁にはラック１６が形成されている。
【００２２】
駆動スライダ１５，１５のラック１６，１６にはカセコンフレーム３，３の上縁の軸受３ｂ，３ｂに支持される軸１７の両端部のギア１８，１８が噛み合い、一方のギア１８に減速ギア１９を介してモータ２０の回転駆動力が伝達される。
【００２３】
ところで、前述したフロントパネル６とカセットホルダ７との間には、図示しない大カセットと小カセットとがカセットホルダ７の規定された位置に案内し、あるいはカセットの誤挿入を防止するためのガイド機構４０が配置されている。
【００２４】
次に、ガイド機構４０の構成について簡単に説明すると、カセットホルダ７の収容部と同一平面上をなすフレーム面４１には左右一対の小カセットスロープ４２，４２と、この小カセットスロープ４２，４２の外側に左右一対の大カセットスロープ４３，４３と、小カセットスロープ４２，４２の後方側にカセットストッパ４４，４４とが図示しないリンク機構によりそれぞれ上方へばね付勢されるようにして設けられている。
【００２５】
小カセットスロープ４２，４２及びカセットストッパ４４，４４の間の間隔は小カセットの幅と対応し、従って、カセット挿入口５から挿入された小カセットは小カセットスロープ４２，４２及びカセットストッパ４４，４４にガイドされカセットホルダ７に装填される。
【００２６】
また、大カセットスロープ４３，４３とカセットストッパ４４，４４はそれぞれ対角線にある同士が連動可能であり、大カセットスロープ４３，４３の幅全体が大カセットの幅と一致している。従って、カセット挿入口５から挿入された大カセットは両方の大カセットスロープ４３，４３を押し込むことでカセットストッパ４４，４４も連動して押し込まれて通過しカセットホルダ７に装填される。尚、例えば小カセットが規定された以外の位置から挿入されたとき、カセットストッパ４４に突き当たってカセットの挿入は阻止される。
【００２７】
次に、本発明の要部である小カセットの位置決めガイド機構の構成を同じく図１及び図２と図３の斜視図について説明する。ここで、図２において小カセットは符号ＣＡで示し、大カセットは符号ＣＢで示す。
【００２８】
位置決めガイド機構の全体を符号５０で示し、カセットホルダ７のカセット支持面の中央部に一対配置されている。両位置決めガイド機構５０はほぼ同一の構成であるため一方（図２において右側）の位置決めガイド機構５０について説明する。
【００２９】
位置決めガイド機構５０はモールド成形された位置決めガイド部材５１とこの位置決めガイド部材５１を弾性支持するばね部材５２から構成されている。位置決めガイド部材５１はカセットホルダ７の支持面に形成した開口孔５３から突出するように配置されている。また、ばね部材５２はその一端部が位置決めガイド部材５１の裏面に固定され、他端部がカセットホルダ７の裏面にカシメ固定されている。尚、ばね部材５２は高いばね定数が得られるように蛇行形状に加工されている。
【００３０】
さて、上述した位置決めガイド部材５１は全体の形状として外側に高い壁部５４と、内側に低いカセット乗り面５５とからなり、壁部５４の内壁面が小カセットＣＡの側面が案内されるガイド壁面５６である。また、壁部５４のカセット挿入側には大カセットＣＢが乗り上げ易くするためのスロープ５７と、小カセットＣＡをガイド壁面５６に呼び込むためのガイド面５８が形成されている。そして、カセット乗り面５５のカセット挿入側とは反対側端部に小カセットの蓋ロック爪を解除するためのカセット蓋ロック解除片５９がリブ状に突出形成されている。このカセット蓋ロック解除片５９はカセットホルダ７に小カセットＣＡが突き当たって位置決めするための突き当て片を兼ねている。
【００３１】
尚、符号６０は位置決めガイド部材５１のスロープ５７側の端部からカセットホルダ７の裏面に係合している爪片であって、カセットホルダ７からの位置決めガイド部材５１の突き出し高さを規制している。この際、スロープ５７の端部はカセットホルダ７のカセット支持面より下がっている。
【００３２】
また、上述した位置決めガイド部材５１はカセット蓋ロック解除片５９側がスロープ状に高く傾斜するようになされている。この場合の一例としては位置決めガイド部材５１のばね部材５２との取り付け面を傾斜面とすることによってばね部材５２にひねりを与えることなく構成することができる。
【００３３】
ここで、位置決めガイド部材５１と他方の位置決めガイド部材５１（図２において左側）と異なる点は、他方の位置決めガイド部材５１のカセット蓋ロック解除片５９はカセットの突き当て片５９ａのみの機能となっており、このため、一方のカセット蓋ロック解除片５９と他方の突き当て片５９ａとは前後方向にずれている構成となっている。
【００３４】
これを図４に示した小カセットＣＡの裏面の構造について説明すると、小カセット４Ａのカセット蓋６１側の左右にはカセット蓋ロック解除片５９が挿通される溝部６２と、突き当て片５９ａが挿通される溝部６３が形成され、一方の溝部６２の端部側にカセット蓋ロック爪６４が配置されている。これら両溝部６２，６３の長さは小カセット４Ａの設計上、他方の溝部６３の方が短くなっている。
【００３５】
このような小カセットＣＡの構成から、カセットホルダ７に小カセットＣＡが位置決めされたとき、カセット蓋ロック解除片５９がカセットの蓋ロック爪６４に突き当たり、突き当て片５９ａは溝部６３の端部６３ａに突き当たるようになっている理由から、カセット蓋ロック解除片５９と他方の突き当て片５９ａとは前後方向にずれている構成となっている。
【００３６】
尚、他方の位置決めガイド部材５１には上述した爪片６０と対向する位置にカセットホルダ７の裏面に係合する爪片６０ａを設けている。
【００３７】
一方、大カセットＣＢの位置決めガイド機構はカセットホルダ７の両側面から立設した側板がガイド板６５，６５となり、大カセットＣＢの両側面の挿入を案内している。そして、カセットホルダ７のガイド板６５，６５に近い支持面に大カセット用の一対のカセット蓋ロック解除片６６，６６が立設している。尚、大カセットＣＢには図示しないが左右に一対のカセット蓋ロック爪が設けられている。
【００３８】
次に、上述した小カセットＣＡ及び大カセットＣＢの位置決めガイド機構の作用について説明する。
【００３９】
まず、小カセットＣＡの位置決めガイド機構の作用を図２及び図５〜図７について説明する。尚、図５〜図７は一方の位置決めガイド部材５１側の動作について示してある。
【００４０】
図５はカセットホルダ７に小カセットＣＡが挿入される前の位置決めガイド部材５１の動作状態であり、ばね部材５２（図２参照）によりカセットホルダ７上にばね付勢されて突出している。この状態から前述したカセット挿入口５からガイド機構４０を通過して図２に示すように小カセットＣＡがカセットホルダ７に挿入されてくると、小カセットＣＡの左右底面が一対の位置決めガイド部材５１，５１の乗り面５５，５５に接触し、この乗り面５５，５５をカセットホルダ７のカセット支持面と同一平面上に押し下げると共に、カセットの両側面がガイド壁面５６，５６にガイドされてカセットの左右が位置決めされて挿入される。
【００４１】
この際、小カセットＣＡが位置決めガイド部材５１，５１にガイドされるとき、カセットが多少左右に位置ずれして挿入されたとしてもガイド面５８，５８によって小カセットＣＡの縁部が呼び込められ位置決めガイド部材５１，５１にスムーズに挿入することができる。
【００４２】
そして、この挿入動作に連動して乗り面５５に設けたカセット蓋ロック解除片５９でカセット４Ａの蓋ロック爪６４が押されて後退し、カセット蓋６１のロックが解除される。この蓋ロック爪６４の解除動作状態において小カセットＣＡは図６に示すようにカセット蓋ロック解除片５９に突き当たり、そして、同時にカセットの他方の溝部６３の端部６３ａに突き当て片５９ａが突き当たって小カセットＣＡはカセットホルダ７内に最も深く挿入された状態として位置決めされる。
【００４３】
この図６のカセット挿入状態から図７に示すように小カセットＣＡと共にカセットホルダ７がローディング位置に着地する動作に伴ってカセット蓋６１が図示しないフレーム部材によって開放される。
【００４４】
かくして、小カセットＣＡのローデンィグ位置では図示しないメカデッキ側から立設する高さ位置決めピンによって高さ位置決めされるが、小カセットＣＡはその厚みが大カセットに比べて薄型に設計されている場合にはカセットホルダ７のカセット支持面から浮き上がる。このような場合でも位置決めガイド部材５１はばね部材の復元力により元の突き出し位置に突出すると共に、カセット蓋ロック解除片５９側が高く傾斜しているため、小カセットＣＡの蓋ロック爪６４からカセット蓋ロック解除片５９が外れることもなく、カセット蓋６１の開放状態を維持することができる。
【００４５】
次に、大カセットＣＢの位置決めガイド機構の作用を図２と図５及び図８について説明する。尚、図５及び図８は一方の位置決めガイド部材５１側の動作について示してある。
【００４６】
大カセットＣＢが前述したカセット挿入口５からガイド機構４０を通過して図２に示すようにカセットホルダ７に挿入されてくると、大カセットＣＢの両側面がカセットホルダ７のガイド板６５，６５にガイドされて挿入される。そして、大カセットＣＢは小カセットＣＡの位置決めガイド部材５１のスロープ５７に突き当たることで当該ガイド部材５１全体が図８に示すようにばね部材５２に抗して押し倒され、開口孔５３内に没み込む。この動作と共に大カセット用のカセット蓋ロック解除片６６，６６に大カセットＣＢの図示しないカセット蓋ロック爪が接触してロックが解除される。このとき、大カセットＣＢのカセット蓋がカセットホルダ７のストッパ７ａ，７ａに突き当たって位置決めされる。
【００４７】
この図８のカセット挿入状態から大カセットＣＢと共にカセットホルダ７がローディング位置に着地する動作に伴ってカセット蓋が仮想線で示すように図示しないフレーム部材によって開放される。
【００４８】
かくして、大カセットＣＢのローデンィグ位置では図示しないメカデッキ側から立設する高さ位置決めピンによって高さ位置決めされる。尚、大カセットＣＢは小カセットＣＡの厚みより厚く設計されているため、カセットホルダ７のカセット支持面より殆ど浮きをがることはない。
【００４９】
以上説明したように本発明は、カセットホルダ７に配置した位置決めガイド機構により大きさ及び厚みの異なる大小のカセットＣＡ，ＣＢをそれぞれ専用の位置決めガイド機構によりカセットホルダ７に正確に挿入し位置決めすることができ、しかも、カセット側に特別なガイド機能を一切備える必要もないため、カセットの外観のデザインを損なうこともない。また、カセットの形状的及び機能的な制約が少ないので、小カセットの場合にはより小さなカセットが実現できる。これによって、一層小さなＶＣＲ装置を得ることができる。
【００５０】
また、位置決めガイド部材５１に小カセットＣＡの突き当て片を兼ねるカセット蓋ロック解除片５９を設けたことで、小カセットＣＡのカセットホルダ７へのガイドと奥行き方向の位置決めと共にカセット蓋ロック爪の解除動作及びを同時に行うことができる。
【００５１】
また、位置決めガイド部材５１をばね部材５２から構成したことで、カセットホルダ７に対する位置決めガイド部材５１の出没動作を簡単な構成で可能にすることができる。
【００５２】
また、位置決めガイド部材５１はカセットの挿入側と反対側をスロープ状に高く傾斜させ、この高く傾斜させた部分にカセット蓋ロック解除片５９を設けたことで、厚みの薄いカセットの場合でもカセットの蓋ロック爪がカセット蓋ロック解除部材から離れることもない。これによって、小カセットＣＡの厚みでも制約を受けることがないため、さらに小さなカセットの実現が可能となる。また、小さなカセット専用のＶＣＲ装置を考えたときにも、小さなカセットの厚みが大きなカセットと関係なく独立に決定できるので小さな記録再生装置が可能となる。
【００５３】
また、位置決めガイド部材５１に小カセットＣＡの挿入を呼び込むガイド面５８を設けたことで、このガイド面にカセットが呼び込まれて案内され位置決めガイド部材に正確に挿入することができる。
【００５４】
尚、本発明は、上述しかつ図面に示した実施例に限定されるものでなく、その要旨を逸脱しない範囲内で種々の変形実施が可能である。
【００５５】
実施例では位置決めガイド部材５１，５１の出没作用をそれぞれ独立したばね部材５２，５２を利用した場合について説明したが、その他、位置決め両ガイド部材５１，５１を例えばリンク部材で単独に出没可能にしたり、あるいは連動可能にし出没するような構成としてもよい。
【００５６】
また、本発明の実施例では大きさの異なる大小２種類のテープカセットが使用可能ないわゆるコンパチブル方式のＶＣＲ装置について説明したが、大きさが２種類以上の異なるテープカセットが使用可能な場合でも適用可能であることは言うまでもなく、しかも、オーディオ装置等の記録再生装置のカセット位置決めガイド機構にも広く適用可能である。
【００５７】
【発明の効果】
以上説明したように、本発明による記録再生装置は、位置決めガイド部材の内側に小さいカセットの底面を案内するカセット乗り面と、カセット乗り面のカセット挿入口とは反対側端部に小さいカセットのカセット蓋ロック解除用の突起とを設け、かつ、カセット乗り面はカセット挿入口側から突起方向にカセット支持面に対して高くなるように傾斜する構成としたので、厚みの薄い小さなカセットがカセットホルダに挿入されてローディング位置に装填されたとき、小さなカセットがカセットホルダから浮き上がることがあっても、カセットのカセット蓋ロック爪がカセット蓋ロック解除用の突起から外れることもなく、カセット蓋の開放状態を保持することができる。これによって、小カセットの厚みでも制約を受けることがないため、さらに小さなカセットの実現が可能となる。また、小さなカセット専用の記録再生装置を考えたときにも、小さなカセットの厚みが大きなカセットと関係なく独立に決定できるので小さな記録再生装置が可能となる。
【００６１】
また、位置決めガイド部材に小さなカセットの挿入を呼び込むガイド面を設けたことで、このガイド面にカセットが呼び込まれて案内され位置決めガイド部材に正確に挿入することができる。
【００６２】
さらに、本発明の位置決めガイド機構を大きさの異なる大小２種類以上のテープカセットが使用可能なコンパチブル方式のＶＣＲ装置に適用することで、信頼性の高いＶＣＲ装置となる。
【図面の簡単な説明】
【図１】本例の位置決めガイド機構を備えたＶＣＲ装置におけるカセコンの分解斜視図である。
【図２】位置決めガイド機構を備えたカセットホルダの平面図である。
【図３】同じくカセットホルダの斜視図である。
【図４】小カセットの裏面図である。
【図５】カセットが挿入前のカセットホルダの断面図である。
【図６】小カセットがカセットホルダに挿入された動作状態図である。
【図７】同じく小カセットのローディング位置の動作状態図である。
【図８】大カセットがカセットホルダに挿入された動作状態図である。
【符号の説明】
１  カセコン、５  カセット挿入口、７  カセットホルダ、８  カセット引き込み／排出機構、４０  ガイド機構、５０  小カセットの位置決めガイド機構、５１  位置決めガイド部材、５２  ばね部材、５４  ガイド壁部、５５  乗り面、５６  ガイド壁面、５７  スロープ、５８  ガイド面、５９  カセット蓋ロック解除片、５９ａ  突き当て片、６５  大カセット用のガイド板、６６  カセット蓋ロック解除片、ＣＡ  小カセット、ＣＢ  大カセット
【図１】
0003541543.tif 000002
【図２】
0003541543.tif 000003
【図３】
0003541543.tif 000004
【図４】
0003541543.tif 000005
【図５】
0003541543.tif 000006
【図６】
0003541543.tif 000007
【図７】
0003541543.tif 000008
【図８】
0003541543.tif 000009